(57)【要約】【課題】物品の位置情報を用いることなく、物品の所在地を推認できるようにする。【解決手段】携帯情報端末１２ｄは、通信範囲Ｒ２内で携帯情報端末１２ｄと通信が確立されている携帯情報端末２ａ〜２ｃを監視し、携帯情報端末１２ｄと携帯情報端末１２ａ〜１２ｃとの接続状況を時刻とともに記録する。【選択図】      図２
2008186050.tif 000002
【特許請求の範囲】
【請求項１】
通信範囲内での端末との接続状況に基づいて前記通信範囲内に存在する端末を監視する接続端末検索部と、
前記端末との接続状況を時刻とともに記録する履歴情報記録部とを備えることを特徴とする履歴管理装置。
【請求項２】
前記履歴情報記録部は、前記通信範囲内に存在する端末の識別情報を記録する範囲内端末リストを備え、前記通信範囲内に存在しなくなった端末の識別情報を、前記通信範囲内に存在しなくなった時刻とともに前記範囲内端末リストに記録することを特徴とする請求項１記載の履歴管理装置。
【請求項３】
前記履歴情報記録部に記録された端末の履歴情報を出力する履歴情報出力部をさらに備えることを特徴とする請求項１または２記載の履歴管理装置。
【請求項４】
前記通信範囲内に存在する端末についての位置情報またはセンサ情報を取得する外部情報取得部をさらに備え、
前記履歴情報記録部は、前記通信範囲内に存在する端末の識別情報とともに、前記外部情報取得部にて取得された前記端末についての位置情報またはセンサ情報を記録することを特徴とする請求項１から３のいずれか１項記載の履歴管理装置。
【請求項５】
前記履歴情報記録部に記録された前記端末の履歴情報を通信ネットワークを介して外部に送信する通信部をさらに備えることを特徴とする請求項１から４のいずれか１項記載の履歴管理装置。
【請求項６】
前記接続端末検索部は、前記通信範囲内に存在する端末にその端末の識別情報および時刻情報を含む検索メッセージを送信することを特徴とする請求項１から５のいずれか１項記載の履歴管理装置。
【請求項７】
前記接続端末検索部は、前記通信範囲内に存在する端末から送信されたその端末の識別情報を含む検索メッセージに対して、その端末の識別情報および時刻情報を含む応答メッセージを送信することを特徴とする請求項１から５のいずれか１項記載の履歴管理装置。
【請求項８】
通信範囲内でのターゲット端末との接続状況を時刻とともに記録するキー端末と、
前記キー端末と通信ネットワークを介して接続され、前記キー端末にて記録された前記ターゲット端末についての履歴情報を管理する履歴管理サーバとを備えることを特徴とする履歴管理システム。
【請求項９】
通信範囲内に存在するターゲット端末の識別情報を範囲内端末リストに記録した上で、前記通信範囲内に存在しなくなったターゲット端末の識別情報を、前記通信範囲内に存在しなくなった時刻とともに前記範囲内端末リストに記録するキー端末と、
前記キー端末と通信ネットワークを介して接続され、前記キー端末にて前記範囲内端末リストに記録された前記ターゲット端末についての履歴情報を管理する履歴管理サーバとを備えることを特徴とする履歴管理システム。
【発明の詳細な説明】
【技術分野】
【０００１】
本発明は履歴管理装置および履歴管理システムに関し、特に、持ち運び可能な物品の所在地の履歴を管理する方法に適用して好適なものである。
【背景技術】
【０００２】
電子商取引の進展や顧客サービスの高度化、携帯端末の高機能化などのＩＴ化の進展に伴って、個人情報の不正利用や漏洩などのプライバシーが侵害される危険性や不安感が増大し、企業における情報管理や個人が自ら情報を守る手法に対して関心が高まっている。特に、パーソナルコンピュータや携帯電話端末などの様々の情報が格納されている情報機器が紛失や盗難などによって所有者の管理外に置かれるのは大きな脅威になっている。
このための対策として、例えば、特許文献１には、物品にＩＤタグを付与することで、ユーザが所持している物品を自動的に認識し、足りていない物品をユーザに通知することで、必要な物品の所持忘れを防止する方法が開示されている。
【０００３】
図９は、従来の携帯情報端末の所在地の履歴管理方法を示す図である。
図９において、ユーザ１０１が所有する携帯情報端末１０２ａ〜１０２ｄには、それぞれ固有のＩＤが付与され、携帯情報端末１０２ｄは、携帯情報端末１０２ａ〜１０２ｃと通信範囲Ｒ１内で通信ができるようになっている。ここで、携帯情報端末１０２ｄには、通信範囲Ｒ１内で携帯情報端末１０２ｄと通信が確立されている携帯情報端末１０２ａ〜１０２ｃを登録する範囲内端末リスト１０３が保持され、携帯情報端末１０２ｄの範囲内端末リスト１０３には、通信範囲Ｒ１内で携帯情報端末１０２ｄと通信が確立している携帯情報端末１０２ａ〜１０２ｃのＩＤがそれぞれ登録される。
【０００４】
そして、ユーザ１０１が携帯情報端末１０２ｂ〜１０２ｄとともに移動し、携帯情報端末１０２ａが通信範囲Ｒ１外に出ると、範囲内端末リスト１０３から携帯情報端末１０２ａのＩＤが削除される。
例えば、携帯情報端末１０２ａのＩＤがａａａａａ、携帯情報端末１０２ｂのＩＤがｂｂｂｂｂｂ、携帯情報端末１０２ｃのＩＤがｃｃｃｃｃであるとし、携帯情報端末１０２ａ〜１０２ｃがいずれも通信範囲Ｒ１に存在するものとすると、範囲内端末リスト１０３には、ａａａａａ、ｂｂｂｂｂ、ｃｃｃｃｃというＩＤが登録される。そして、ユーザ１０１が携帯情報端末１０２ｂ〜１０２ｄとともに移動し、携帯情報端末１０２ａが通信範囲Ｒ１外に出ると、範囲内端末リスト１０３から、ａａａａａというＩＤが削除される。
【０００５】
また、例えば、特許文献２には、ＧＰＳを利用して物品の位置情報を常時管理することにより、紛失時に物品を迅速に発見する方法が開示されている。
【特許文献１】特開２００６−１１５０１号公報
【特許文献２】特開２００５−３１１７２０号公報
【発明の開示】
【発明が解決しようとする課題】
【０００６】
しかしながら、特許文献１に開示された方法では、物品の所有忘れを通知することで、物品の紛失の防止には有効であるが、物品の紛失が一旦起きると、その物品を発見することはできないという問題があった。
また、特許文献２に開示された方法では、ＧＰＳ機能やネットワークとの通信機能を端末に持たせる必要があり、汎用性に欠けるとともに、ＧＰＳでの位置情報が取得できない場合や、携帯電話端末が圏外となった場合には位置情報を管理できなくなるという問題があった。
【０００７】
さらに、携帯電話端末やパーソナルコンピュータなどの移動端末やカード類、鍵などの自由に持ち運び可能な物品に対して紛失や盗難があった時に、それらの物品の発見を容易し、いつどこで不正利用されたかを把握するのが困難であるという問題があった。
そこで、本発明の目的は、物品の位置情報を用いることなく、物品の所在地を推認することが可能な履歴管理装置および履歴管理システムを提供することである。
【課題を解決するための手段】
【０００８】
上述した課題を解決するために、請求項１記載の履歴管理装置によれば、通信範囲内での端末との接続状況に基づいて前記通信範囲内に存在する端末を監視する接続端末検索部と、前記端末との接続状況を時刻とともに記録する履歴情報記録部とを備えることを特徴とする。
これにより、端末間の接続状況を監視することで、自分が携帯している物品が自分から離れた時刻を確認することが可能となる。このため、物品の紛失が起きた場合においても、自分の行動履歴を思い出すことで、どこで紛失が起きたかを判断することが可能となり、ＧＰＳ機能やネットワークとの通信機能を端末に持たせることなく、その物品を発見することが可能となる。
【０００９】
また、請求項２記載の履歴管理装置によれば、前記履歴情報記録部は、前記通信範囲内に存在する端末の識別情報を記録する範囲内端末リストを備え、前記通信範囲内に存在しなくなった端末の識別情報を、前記通信範囲内に存在しなくなった時刻とともに前記範囲内端末リストに記録することを特徴とする。
これにより、自分が携帯している物品のうちどの物品がいつ自分から離れたかを確認することが可能となり、ＧＰＳ機能やネットワークとの通信機能を端末に持たせることなく、その物品を発見することが可能となる。
【００１０】
また、請求項３記載の履歴管理装置によれば、前記履歴情報記録部に記録された端末の履歴情報を出力する履歴情報出力部をさらに備えることを特徴とする。
これにより、物品の携帯状況の履歴を画面上などで確認することが可能となり、自分の行動履歴と対比させながら、所在の不明となった物品を発見することが可能となる。
【００１１】
また、請求項４記載の履歴管理装置によれば、前記通信範囲内に存在する端末についての位置情報またはセンサ情報を取得する外部情報取得部をさらに備え、前記履歴情報記録部は、前記通信範囲内に存在する端末の識別情報とともに、前記外部情報取得部にて取得された前記端末についての位置情報またはセンサ情報を記録することを特徴とする。
これにより、物品が自分から離れた時刻に加え、その物品の位置情報やその物品の周囲の温度や湿度や照度などの情報を取得することが可能となり、所在の不明となった物品の発見を容易化することが可能となる。
【００１２】
また、請求項５記載の履歴管理装置によれば、前記履歴情報記録部に記録された前記端末の履歴情報を通信ネットワークを介して外部に送信する通信部をさらに備えることを特徴とする。
これにより、複数の端末がいつ、どこで、誰に利用されたかなどの履歴を一元的に管理することが可能となるとともに、それらの履歴情報を外部に保持することが可能となり、それらの複数の端末の紛失時にも、それらの端末の所在を容易に判断することが可能となる。
【００１３】
また、請求項６記載の履歴管理装置によれば、前記接続端末検索部は、前記通信範囲内に存在する端末にその端末の識別情報および時刻情報を含む検索メッセージを送信することを特徴とする。
これにより、検索メッセージを受信する端末が時刻情報を取得する手段を備えているかどうかに関らず、接続された端末間で時刻情報を共有することができる。
【００１４】
また、請求項７記載の履歴管理装置によれば、前記接続端末検索部は、前記通信範囲内に存在する端末から送信されたその端末の識別情報を含む検索メッセージに対して、その端末の識別情報および時刻情報を含む応答メッセージを送信することを特徴とする。
これにより、検索メッセージを送信した端末が時刻情報を取得する手段を備えているかどうかに関らず、接続された端末間で時刻情報を共有することができる。
【００１５】
また、請求項８記載の履歴管理システムによれば、通信範囲内でのターゲット端末との接続状況を時刻とともに記録するキー端末と、前記キー端末と通信ネットワークを介して接続され、前記キー端末にて記録された前記ターゲット端末についての履歴情報を管理する履歴管理サーバとを備えることを特徴とする。
これにより、自分が所持しているキー端末とターゲット端末との間の接続状況を監視することで、ターゲット端末が自分から離れた時刻を確認することが可能となる。このため、ターゲット端末の紛失が起きた場合においても、自分の行動履歴を思い出すことで、どこでターゲット端末の紛失が起きたかを判断することが可能となり、ＧＰＳ機能やネットワークとの通信機能をキー端末やターゲット端末に持たせることなく、ターゲット端末を発見することが可能となる。
【００１６】
また、請求項９記載の履歴管理システムによれば、通信範囲内に存在するターゲット端末の識別情報を範囲内端末リストに記録した上で、前記通信範囲内に存在しなくなったターゲット端末の識別情報を、前記通信範囲内に存在しなくなった時刻とともに前記範囲内端末リストに記録するキー端末と、前記キー端末と通信ネットワークを介して接続され、前記キー端末にて前記範囲内端末リストに記録された前記ターゲット端末についての履歴情報を管理する履歴管理サーバとを備えることを特徴とする。
これにより、自分が携帯しているターゲット端末のうちどのターゲット端末がいつ自分から離れたかを確認することが可能となり、ＧＰＳ機能やネットワークとの通信機能をキー端末やターゲット端末に持たせることなく、所在の不明となったターゲット端末を発見することが可能となる。
【発明の効果】
【００１７】
以上説明したように、本発明によれば、自分が携帯している物品が自分から離れた時刻を確認することが可能となり、物品の紛失が起きた場合においても、ＧＰＳ機能やネットワークとの通信機能を端末に持たせることなく、その物品を発見することが可能となる。
【発明を実施するための最良の形態】
【００１８】
以下、本発明の実施形態に係る履歴管理装置について図面を参照しながら説明する。
図１は、本発明の一実施形態に係る携帯情報端末の所在地の履歴管理方法を示す図である。
図１において、ユーザ１が所有する携帯情報端末２ａ〜２ｄには、それぞれ固有のＩＤが付与され、携帯情報端末２ｄは、携帯情報端末２ａ〜２ｃと通信範囲Ｒ１内で通信ができるようになっている。ここで、携帯情報端末２ｄには、通信範囲Ｒ１内で携帯情報端末２ｄと通信が確立されている携帯情報端末２ａ〜２ｃを登録する範囲内端末リスト３が保持され、携帯情報端末２ｄの範囲内端末リスト３には、通信範囲Ｒ１内で携帯情報端末２ｄと通信が確立している携帯情報端末２ａ〜２ｃのＩＤがそれぞれ登録される。
【００１９】
例えば、携帯情報端末２ａのＩＤがａａａａａ、携帯情報端末２ｂのＩＤがｂｂｂｂｂｂ、携帯情報端末２ｃのＩＤがｃｃｃｃｃであるとし、携帯情報端末２ａ〜２ｃがいずれも通信範囲Ｒ１に存在するものとすると、範囲内端末リスト３には、ａａａａａ、ｂｂｂｂｂ、ｃｃｃｃｃというＩＤが登録される。
なお、本願の説明では、ユーザ１が常時保持している携帯情報端末２ｄをキー端末、ユーザ１が必要に応じて持ち歩いて利用する携帯情報端末２ａ〜２ｃをターゲット端末と呼ぶ。また、携帯情報端末２ａ〜２ｄとしては、例えば、携帯電話機やＰＤＡ（Ｐｅｒｓｏｎａｌ  Ｄｉｇｉｔａｌ  Ａｓｓｉｓｔａｎｔ）やノート型パーソナルコンピュータなどを用いることができる。あるいは、携帯情報端末２ａ〜２ｄとしては、例えば、ＲＦＩＤ（Ｒａｄｉｏ  ｆｒｅｑｕｅｎｃｙ  ｉｄｅｎｔｉｆｉｃａｔｉｏｎ）タグやＩＣタグなどの無線タグを携帯物品に付随させたものでもよい。また、携帯情報端末２ａ〜２ｄは、例えば、特定小電力無線、無線ＬＡＮ、Ｂｌｕｅｔｏｏｔｈなどの短距離無線通信を介して通信を確立することができる。
【００２０】
そして、ユーザ１が携帯情報端末２ｂ〜２ｄとともに移動し、携帯情報端末２ａが通信範囲Ｒ１外に出ると、範囲内端末リスト３には、携帯情報端末２ａのＩＤに対応させて携帯情報端末２ｄとの接続が切断された日時が記録される。
例えば、ユーザ１が２００６年６月３０日の１３時ごろに携帯情報端末２ａ〜２ｄを携帯しながらレストランで食事をし、携帯情報端末２ａをレストランに置き忘れたまま１３時１５分ごろにレストランを出たものとすると、携帯情報端末２ａは１３時１５分ごろに携帯情報端末２ａの通信範囲Ｒ１外となる。このため、携帯情報端末２ａは１３時１５分ごろに携帯情報端末２ａと通信が切断され、携帯情報端末２ｄは携帯情報端末２ａとの通信の切断を検出すると、携帯情報端末２ａのＩＤに対応させて携帯情報端末２ａとの接続が切断された日時を範囲内端末リスト３に記録する。
【００２１】
そして、ユーザ１がレストランを出た後に携帯情報端末２ａがないことに気が付くと、携帯情報端末２ｄ上で範囲内端末リスト３を参照することにより、２００６年６月３０日の１３時１５分ごろに携帯情報端末２ａが自分の手元を離れたことを確認することができる。そして、ユーザ１は２００６年６月３０日の１３時１５分ごろにはレストランに居たことを思い出すと、携帯情報端末２ａをレストランに置き忘れたと判断することができ、携帯情報端末２ａをレストランで発見することができる。
【００２２】
これにより、ユーザ１が所持している携帯情報端末２ｄと携帯情報端末２ａ〜２ｃとの間の接続状況を監視することで、携帯情報端末２ａ〜２ｃがユーザ１から離れた時刻を確認することが可能となる。このため、携帯情報端末２ａ〜２ｃの紛失が起きた場合においても、自分の行動履歴を思い出すことで、どこで携帯情報端末２ａ〜２ｃの紛失が起きたかを判断することが可能となり、ＧＰＳ機能やネットワークとの通信機能を携帯情報端末２ａ〜２ｄに持たせることなく、帯情報端末２ａ〜２ｃを発見することが可能となる。
【００２３】
図２は、本発明の一実施形態に係る履歴管理システムの概略構成を示すブロック図である。
図２において、ユーザ１１が所有する携帯情報端末１２ａ〜１２ｄには、それぞれ固有のＩＤが付与され、携帯情報端末１２ｄは、携帯情報端末１２ａ〜１２ｃと通信範囲Ｒ２内で通信ができるようになっている。また、携帯情報端末１２ａ〜１２ｄは、通信ネットワーク１４を介してサーバ１５と接続することができる。
【００２４】
なお、携帯情報端末１２ａ〜１２ｄとしては、例えば、携帯電話機やＰＤＡ（Ｐｅｒｓｏｎａｌ  Ｄｉｇｉｔａｌ  Ａｓｓｉｓｔａｎｔ）やノート型パーソナルコンピュータなどを用いることができる。あるいは、携帯情報端末１２ａ〜１２ｄとしては、例えば、ＲＦＩＤタグやＩＣタグなどの無線タグを携帯物品に付随させたものでもよい。また、携帯情報端末１２ａ〜１２ｄは、例えば、特定小電力無線、無線ＬＡＮ、Ｂｌｕｅｔｏｏｔｈなどの短距離無線通信を介して通信を確立することができる。また、通信ネットワーク１４としては、例えば、インターネットや公衆電話網や移動体通信網などを用いることができる。
【００２５】
ここで、携帯情報端末１２ｄは、通信範囲Ｒ２内で携帯情報端末１２ｄと通信が確立されている携帯情報端末２ａ〜２ｃを監視し、携帯情報端末１２ｄと携帯情報端末１２ａ〜１２ｃとの接続状況を時刻とともに記録することができる。
そして、携帯情報端末１２ｄが通信ネットワーク１４を介してサーバ１５と接続されている場合、携帯情報端末１２ｄは、携帯情報端末１２ａ〜１２ｃとの接続状況および切断時刻をサーバ１５に送信することができる。そして、サーバ１５は、携帯情報端末１２ｄと携帯情報端末１２ａ〜１２ｃとの接続状況および切断時刻を携帯情報端末１２ｄから受信すると、携帯情報端末１２ｄと携帯情報端末１２ａ〜１２ｃとの接続状況および切断時刻を帯情報端末１２ａ〜１２ｃの履歴情報として保持することができる。
【００２６】
これにより、自分が携帯している携帯情報端末１２ａ〜１２ｃが自分から離れた時刻を携帯情報端末１２ｄ上で確認することが可能となる。このため、携帯情報端末１２ａ〜１２ｃの紛失が起きた場合においても、自分の行動履歴を思い出すことで、どこで携帯情報端末１２ａ〜１２ｃの紛失が起きたかを判断することが可能となり、ＧＰＳ機能やネットワークとの通信機能を携帯情報端末１２ａ〜１２ｄに持たせることなく、携帯情報端末１２ａ〜１２ｃを発見することが可能となる。
【００２７】
また、携帯情報端末１２ｄと携帯情報端末１２ａ〜１２ｃとの接続状況および切断時刻をサーバ１５にて保持することで、複数の携帯情報端末１２ａ〜１２ｃがいつ、どこで、誰に利用されたかなどの履歴を一元的に管理することが可能となるとともに、それらの履歴情報を外部に保持することが可能となり、それらの複数の携帯情報端末１２ａ〜１２ｃの紛失時にも、それらの携帯情報端末１２ａ〜１２ｃがどこにあるかを容易に判断することが可能となる。
【００２８】
図３は、図２の携帯情報端末１２ａ〜１２ｄにそれぞれ用いられる履歴管理装置の概略構成の一例を示すブロック図である。
図３において、履歴管理装置２１には、携帯情報端末１２ａ〜１２ｄ間で通信を行う送受信部２２、携帯情報端末１２ａ〜１２ｄ間での接続の履歴情報の収集処理を管理したり、外部とのやりとりや内部での処理の割り振りなどを管理したりする管理制御部２３、通信相手となる他の携帯情報端末１２ａ〜１２ｄのＩＤ情報を管理し、通信範囲Ｒ２内において検索メッセージを送出することで、通信範囲Ｒ２内で通信が確立している他の携帯情報端末１２ａ〜１２ｄが存在しているかどうかを常時監視する端末検索部２４、通信範囲Ｒ２内で通信が確立している他の携帯情報端末１２ａ〜１２ｄからの応答に基づいて、携帯情報端末１２ａ〜１２ｄ間での接続の履歴情報を記録する履歴情報記録部２５、履歴情報記録部２５にて記録された携帯情報端末１２ａ〜１２ｄ間での接続の履歴情報を表示画面に出力したり、音声にて出力したりする履歴情報出力部２６が設けられている。なお、履歴情報出力部２６は、携帯情報端末１２ａ〜１２ｄ間での接続の履歴情報をスケジューラや地図などのアプリケーションと連携して出力するようにしてもよい。
【００２９】
そして、端末検索部２４は、通信範囲Ｒ２内で通信が確立している他の携帯情報端末１２ａ〜１２ｄが存在しているかどうかを常時監視し、通信範囲Ｒ２内で通信が確立している他の携帯情報端末１２ａ〜１２ｄが存在する場合、その携帯情報端末１２ａ〜１２ｄのＩＤ情報を履歴情報記録部２５に記録するとともに、通信範囲Ｒ２内で通信が切断された他の携帯情報端末１２ａ〜１２ｄが存在する場合、その携帯情報端末１２ａ〜１２ｄのＩＤ情報に対応させてその切断時刻を履歴情報記録部２５に記録する。
【００３０】
そして、履歴情報出力部２６は、通信範囲Ｒ２内で通信が確立している他の携帯情報端末１２ａ〜１２ｄが存在する場合、その携帯情報端末１２ａ〜１２ｄの識別情報を表示画面に表示するとともに、通信範囲Ｒ２内で通信が切断された他の携帯情報端末１２ａ〜１２ｄが存在する場合、その携帯情報端末１２ａ〜１２ｄの識別情報を切断時刻とともに表示画面に表示することができる。
【００３１】
これにより、自分が携帯している携帯情報端末１２ａ〜１２ｄのうちどの携帯情報端末１２ａ〜１２ｄがいつ自分から離れたかを携帯情報端末１２ａ〜１２ｄ上で確認することが可能となり、ＧＰＳ機能やネットワークとの通信機能を携帯情報端末１２ａ〜１２ｄに持たせることなく、その携帯情報端末１２ａ〜１２ｄを発見することが可能となる。
なお、管理制御部２３および接続端末検索部２４は、これらのブロックで行われる処理を遂行させる命令が記述されたプログラムをコンピュータに実行させることにより実現することができる。そして、このプログラムを履歴管理装置２１に搭載されたコンピュータにインストールすることにより、管理制御部２３および接続端末検索部２４で行われる処理を履歴管理装置２１上で実現することができる。
【００３２】
図４は、本発明の一実施形態に係る履歴管理装置の概略構成のその他の例を示すブロック図である。
図４において、履歴管理装置３１には、図３の履歴管理装置２１の構成に加え、通信範囲Ｒ２内に存在する他の携帯情報端末１２ａ〜１２ｄについての位置情報またはセンサ情報を取得する外部情報取得部３６が設けられている。
【００３３】
そして、図３の接続端末検索部２４は、通信範囲Ｒ２内で通信が確立している他の携帯情報端末１２ａ〜１２ｄが存在しているかどうかを常時監視し、通信範囲Ｒ２内で通信が確立している他の携帯情報端末１２ａ〜１２ｄが存在する場合、その携帯情報端末１２ａ〜１２ｄのＩＤ情報を履歴情報記録部２５に記録するとともに、外部情報取得部３６は、その携帯情報端末１２ａ〜１２ｄについての位置情報や操作履歴などのセンサ情報を外部から取得し、その携帯情報端末１２ａ〜１２ｄのＩＤ情報に対応させてその位置情報や操作履歴などのセンサ情報を履歴情報記録部２５に記録する。
【００３４】
そして、接続端末検索部２４は、通信範囲Ｒ２内で通信が切断された他の携帯情報端末１２ａ〜１２ｄが存在する場合、その携帯情報端末１２ａ〜１２ｄのＩＤ情報に対応させてその切断時刻を履歴情報記録部２５に記録するとともに、外部情報取得部３６は、その携帯情報端末１２ａ〜１２ｄについての切断時刻における位置情報や操作履歴などのセンサ情報を外部から取得し、その携帯情報端末１２ａ〜１２ｄのＩＤ情報に対応させてその位置情報や操作履歴などのセンサ情報を履歴情報記録部２５に記録する。
【００３５】
そして、履歴情報出力部２６は、通信範囲Ｒ２内で通信が確立している他の携帯情報端末１２ａ〜１２ｄが存在する場合、その携帯情報端末１２ａ〜１２ｄの識別情報や位置情報や操作履歴などのセンサ情報を表示画面に表示するとともに、通信範囲Ｒ２内で通信が切断された他の携帯情報端末１２ａ〜１２ｄが存在する場合、その携帯情報端末１２ａ〜１２ｄの識別情報や位置情報や操作履歴などのセンサ情報を切断時刻とともに表示画面に表示することができる。
これにより、携帯情報端末１２ａ〜１２ｄが自分から離れた時刻に加え、その携帯情報端末１２ａ〜１２ｄの位置情報やその携帯情報端末１２ａ〜１２ｄの周囲の温度や湿度や照度などの情報を取得することが可能となり、所在の不明となった携帯情報端末１２ａ〜１２ｄの発見を容易化することが可能となる。
【００３６】
図５は、本発明の一実施形態に係る履歴管理装置の概略構成のさらにその他の例を示すブロック図である。
図５において、履歴管理装置４１には、図３の履歴管理装置２１の構成に加え、履歴情報記録部２５に記録された携帯情報端末１２ａ〜１２ｄの履歴情報を通信ネットワーク１４を介してサーバ１５に送信する通信部４７が設けられている。
そして、接続端末検索部２４は、通信範囲Ｒ２内で通信が確立している他の携帯情報端末１２ａ〜１２ｄが存在しているかどうかを常時監視し、通信範囲Ｒ２内で通信が確立している他の携帯情報端末１２ａ〜１２ｄが存在する場合、その携帯情報端末１２ａ〜１２ｄのＩＤ情報を履歴情報記録部２５に記録するとともに、通信部４７は、その携帯情報端末１２ａ〜１２ｄのＩＤ情報を通信ネットワーク１４を介してサーバ１５に送信する。そして、サーバ１５は、通信範囲Ｒ２内で通信が確立している携帯情報端末１２ａ〜１２ｄのＩＤ情報を受信すると、その携帯情報端末１２ａ〜１２ｄのＩＤ情報を保持することができる。
【００３７】
そして、通信範囲Ｒ２内で通信が切断された他の携帯情報端末１２ａ〜１２ｄが存在する場合、その携帯情報端末１２ａ〜１２ｄのＩＤ情報に対応させてその切断時刻を履歴情報記録部２５に記録するとともに、通信部４７は、その携帯情報端末１２ａ〜１２ｄのＩＤ情報をその切断時刻とともに通信ネットワーク１４を介してサーバ１５に送信する。そして、サーバ１５は、通信範囲Ｒ２内で通信が確立していた携帯情報端末１２ａ〜１２ｄのＩＤ情報をその切断時刻とともに受信すると、その携帯情報端末１２ａ〜１２ｄのＩＤ情報をその切断時刻とともに保持することができる。
【００３８】
そして、履歴情報出力部２６は、通信範囲Ｒ２内で通信が確立している他の携帯情報端末１２ａ〜１２ｄが存在する場合、その携帯情報端末１２ａ〜１２ｄの識別情報を通信ネットワーク１４を介してサーバ１５に要求し、その携帯情報端末１２ａ〜１２ｄの識別情報を表示画面に表示することができる。
また、履歴情報出力部２６は、通信範囲Ｒ２内で通信が切断された他の携帯情報端末１２ａ〜１２ｄが存在する場合、その携帯情報端末１２ａ〜１２ｄの識別情報をその切断時刻とともに通信ネットワーク１４を介してサーバ１５に要求し、その携帯情報端末１２ａ〜１２ｄの識別情報を切断時刻とともに表示画面に表示することができる。
【００３９】
これにより、複数の携帯情報端末１２ａ〜１２ｄがいつ、どこで、誰に利用されたかなどの履歴をサーバ１５上で一元的に管理することが可能となるとともに、それらの履歴情報をサーバ１５に保持することが可能となり、それらの複数の携帯情報端末１２ａ〜１２ｄの紛失時にも、それらの複数の携帯情報端末１２ａ〜１２ｄの所在を突き止めることが可能となる。
【００４０】
図６は、本発明の一実施形態に係る履歴管理装置による履歴情報収集処理の一例を示すフローチャートである。
図６において、図３の接続端末検索部２４は、通信範囲Ｒ２内で通信が確立している他の携帯情報端末１２ａ〜１２ｄが存在しているかどうかを常時監視し、通信範囲Ｒ２内で通信が確立している他の携帯情報端末１２ａ〜１２ｄのＩＤ情報や時刻情報などを受信する（ステップＳ１１）。
【００４１】
すなわち、図２の通信範囲Ｒ２内において、接続端末検索部２４は、キー端末となる携帯情報端末１２ｄとターゲット端末となる携帯情報端末１２ａ〜１２ｃとの間で、端末検索メッセージを定期的にやり取りし、履歴情報の収集対象となる携帯情報端末１２ａ〜１２ｄのＩＤ情報を交換する。また、ＩＤ情報を交換する時に、端末検索メッセージをやり取りした時の時刻情報も携帯情報端末１２ａ〜１２ｄ間で共有することができる。
【００４２】
そして、接続端末検索部２４は、携帯情報端末１２ａ〜１２ｄのＩＤ情報や時刻情報などを受信すると、それらのＩＤ情報や時刻情報などは履歴情報記録部２５に通知される。
なお、接続端末検索部２４にて、端末検索メッセージや応答メッセージのやり取りができなくなり、通信範囲Ｒ２内での携帯情報端末１２ａ〜１２ｄの存在が確認できなくなった場合にのみ、その携帯情報端末１２ａ〜１２ｄのＩＤ情報とその時の時刻情報を履歴情報記録部２５に通知するようにしてもよい。
【００４３】
次に、携帯情報端末１２ａ〜１２ｄに外部情報取得部３６が設けられている場合、通信範囲Ｒ２内で通信が確立している他の携帯情報端末１２ａ〜１２ｄのＩＤ情報や時刻情報などが接続端末検索部２４にて受信されると、外部情報取得部３６は、その携帯情報端末１２ａ〜１２ｄについてのＧＰＳによる位置情報やセンサによる温度や照度などの周辺情報、ユーザ１１の操作内容などの指定された情報を外部から取得し、その携帯情報端末１２ａ〜１２ｄのＩＤ情報に対応させてその位置情報や周辺情報などを履歴情報記録部２５に通知する（ステップＳ１２）。
【００４４】
なお、外部情報取得部３６にて取得された携帯情報端末１２ａ〜１２ｄの位置情報や周辺情報などは、キー端末となる携帯情報端末１２ｄとターゲット端末となる携帯情報端末１２ａ〜１２ｃとの間で、送受信部２２を介して交換し、共有するようにしてもよい。
また、外部情報取得部３６による情報の取得は、接続端末検索部２４による情報の取得と連動することなく、一定間隔ごとに実行するなど別途設定するようにしてもよい。
【００４５】
次に、履歴情報記録部２５は、携帯情報端末１２ａ〜１２ｄのＩＤ情報や時刻情報さらには位置情報や周辺情報などが通知されると、それらの情報を携帯情報端末１２ａ〜１２ｄのＩＤ情報ごとにひとまとめにして保持する（ステップＳ１３）。
次に、携帯情報端末１２ａ〜１２ｄに通信部４７が設けられている場合、履歴情報記録部２５にて保持されている履歴情報を通信ネットワーク１４を介して一定間隔おきにサーバ１５に送信する（ステップＳ１４）。
【００４６】
なお、サーバ１５に情報を送信する時間間隔は任意に設定することができる。あるいは、ユーザ１１による特定の操作や周辺状況の変化や外部情報取得部３６にて取得される情報などの任意のトリガを設定することで、サーバ１５に情報を送信するようにしてもよい。
そして、携帯情報端末１２ａ〜１２ｄの履歴情報がサーバ１５にて収集されると、サーバ１５は、携帯情報端末１２ａ〜１２ｄを紛失したユーザ１１からの要求に基づいて、携帯情報端末１２ａ〜１２ｄを紛失した時刻や、携帯情報端末１２ａ〜１２ｄの紛失後の利用状況や位置情報などを検索し、ユーザ１１に提供することができる。
【００４７】
これにより、携帯情報端末１２ａ〜１２ｄの位置情報に基づいて携帯情報端末１２ａ〜１２ｄを迅速に発見することが可能となる一方で、携帯情報端末１２ａ〜１２ｄの位置情報がない場合においても、携帯情報端末１２ａ〜１２ｄを紛失した時刻情報に基づいて、携帯情報端末１２ａ〜１２ｄの紛失時の所在地やユーザ１１の行動内容などのスケジュール情報を辿ることで、携帯情報端末１２ａ〜１２ｄを紛失した場所や状況を推測し、携帯情報端末１２ａ〜１２ｄの発見に活用することが可能となる。
また、携帯情報端末１２ａ〜１２ｄの利用履歴をサーバ１５にて一元管理することで、例えば、企業における各社員のノート型パーソナルコンピュータの持ち出し状況や利用履歴を把握し、情報管理を行うことができる。
【００４８】
図７は、本発明の一実施形態に係る履歴管理装置による履歴情報参照処理の一例を示すフローチャートである。
図７において、図３の管理制御部２３は、スケジューラや地図などの外部アプリケーションからの要求やユーザ１１からの履歴情報表示操作などによる履歴情報出力命令を受け付けると（ステップＳ２１）、履歴情報出力部２６は、履歴情報記録部２５にて保持される履歴情報の中から、履歴情報出力命令に応じた履歴情報を抽出し、履歴情報出力命令にて指示される出力先に出力する（ステップＳ２２）。
なお、履歴情報の出力は、外部アプリケーションからの呼び出しに対する応答や、ディスプレイへの情報表示などの任意の方法を設定することができる。例えば、携帯情報端末１２ａ〜１２ｄを紛失した時に、その携帯情報端末１２ａ〜１２ｄと接続履歴のある他の携帯情報端末１２ａ〜１２ｄに対して、紛失した携帯情報端末１２ａ〜１２ｄとの接続履歴を問い合わせることにより、紛失した携帯情報端末１２ａ〜１２ｄと最後に検索メッセージをやり取りした時刻や、その時の位置情報などを取得することが可能となり、紛失した携帯情報端末１２ａ〜１２ｄを迅速に発見することが可能となる。
【００４９】
図８は、本発明の一実施形態に係る履歴管理装置による履歴情報交換処理の一例を示すフローチャートである。
図８において、携帯情報端末１２ａ〜１２ｄがキー端末である場合（ステップＳ３１）、自己のＩＤ情報を含む端末検索メッセージをターゲット端末に送出する（ステップＳ４０）。ここで、キー端末が時刻情報を取得可能な場合、キー端末は時刻情報を含めて端末検索メッセージを送出することができる。なお、端末検索メッセージを送出する時間間隔は任意に設定することができる。
【００５０】
そして、ターゲット端末は、キー端末のＩＤ情報を含む端末検索メッセージを受信すると（ステップＳ３２）、そのキー端末のＩＤ情報を接続端末検索部２４にて保持される履歴情報収集対象端末ＩＤリストと照合することにより、そのキー端末との接続に関する履歴情報を管理するかどうかを判断する（ステップＳ３３）。
そして、キー端末のＩＤ情報が履歴情報収集対象端末ＩＤリストに含まれている場合、ターゲット端末は、キー端末から送られた端末検索メッセージに時刻情報が含まれるかどうかを判断する（ステップＳ３４）。そして、キー端末から送られた端末検索メッセージに時刻情報が含まれる場合、その端末検索メッセージに含まれる時刻情報を応答メッセージの時刻情報として設定する（ステップＳ３５）。
【００５１】
一方、キー端末から送られた端末検索メッセージに時刻情報が含まれない場合、自端末の時刻情報を応答メッセージの時刻情報として設定する（ステップＳ３６）。なお、ターゲット端末は、キー端末のＩＤ情報が履歴情報収集対象端末ＩＤリストに含まれていない場合、キー端末から受信した端末検索メッセージを破棄することができる。
そして、ターゲット端末は、自己のＩＤ情報と時刻情報を応答メッセージに設定すると、自己のＩＤ情報と時刻情報を含む応答メッセージをキー端末に送信する（ステップＳ３７）。
【００５２】
そして、ターゲット端末は、キー端末から受信したキー端末のＩＤ情報および応答メッセージの送信時刻を履歴情報記録部２５に通知し、キー端末から受信したキー端末のＩＤ情報および応答メッセージの送信時刻を履歴情報記録部２５に登録する（ステップＳ３８）。そして、ターゲット端末は、端末検索メッセージの受信待機状態となる（ステップＳ３９）。
一方、キー端末は、ターゲット端末のＩＤ情報と時刻情報を含む応答メッセージをターゲット端末から受信すると（ステップＳ４１）、そのターゲット端末のＩＤ情報を接続端末検索部２４にて保持される履歴情報収集対象端末ＩＤリストと照合することにより、そのターゲット端末との接続に関する履歴情報を管理するかどうかを判断する（ステップＳ４２）。
【００５３】
そして、ターゲット端末のＩＤ情報が履歴情報収集対象端末ＩＤリストに含まれている場合、キー端末は、ターゲット端末から受信したターゲット端末のＩＤ情報および時刻情報を履歴情報記録部２５に通知し、ターゲット端末のＩＤ情報および時刻情報を履歴情報記録部２５に登録する（ステップＳ４３）。なお、キー端末は、ターゲット端末のＩＤ情報が履歴情報収集対象端末ＩＤリストに含まれていない場合、ターゲット端末から受信した応答メッセージを破棄することができる。
【図面の簡単な説明】
【００５４】
【図１】本発明の一実施形態に係る携帯情報端末の所在地の履歴管理方法を示す図である。
【図２】本発明の一実施形態に係る履歴管理システムの概略構成を示すブロック図である。
【図３】本発明の一実施形態に係る履歴管理装置の概略構成の一例を示すブロック図である。
【図４】本発明の一実施形態に係る履歴管理装置の概略構成のその他の例を示すブロック図である。
【図５】本発明の一実施形態に係る履歴管理装置の概略構成のさらにその他の例を示すブロック図である。
【図６】本発明の一実施形態に係る履歴管理装置による履歴情報収集処理の一例を示すフローチャートである。
【図７】本発明の一実施形態に係る履歴管理装置による履歴情報参照処理の一例を示すフローチャートである。
【図８】本発明の一実施形態に係る履歴管理装置による履歴情報交換処理の一例を示すフローチャートである。
【図９】従来の携帯情報端末の所在地の履歴管理方法を示す図である。
【符号の説明】
【００５５】
Ｒ１、Ｒ２  通信エリア
１、１１  ユーザ
２ａ〜２ｄ、１２ａ〜１２ｄ、２１、３１、４１  携帯情報端末
３  範囲内端末リスト
１４  通信ネットワーク
１５  サーバ
２２  送受信部
２３  管理制御部
２４  接続端末検索部
２５  履歴情報記録部
２６  履歴情報出力部
２７  外部情報取得部
２８  通信部
【図１】
2008186050.tif 000003
【図２】
2008186050.tif 000004
【図３】
2008186050.tif 000005
【図４】
2008186050.tif 000006
【図５】
2008186050.tif 000007
【図６】
2008186050.tif 000008
【図７】
2008186050.tif 000009
【図８】
2008186050.tif 000010
【図９】
2008186050.tif 000011